(57)【要約】【課題】  多層光ディスク及び記録方法であってランダムアクセス可能で、記録層に対し上位層に記録済みの箇所と未記録の箇所がランダムに発生することが予想される場合に最適な記録パワーで記録できるようにする。【解決手段】  各層にデータ記録領域と複数の小領域に分割された試し書き領域とを持ち、試し書き領域の小領域は、ＯＰＣを行う層のＯＰＣを行う小領域に対して他の各層が予め記録済み、未記録の組合せができるように記録をおこなっておき、他の各層の記録、未記録の組合せが異なる各小領域に対してＯＰＣを実行する。一方、データ記録領域を複数の小領域ごとに分割し各領域ごとに各層の記録、未記録の状態の組合せの情報をディスクに記録しておく。ユーザーデータの記録時は、この情報に従って、各層の記録、未記録の状態が合致する条件でのＯＰＣの結果を最適パワーとする。【選択図】  図１
2011175734.tif 000002
【特許請求の範囲】
【請求項１】
試し書き領域とデータ記録エリアを有する記録層をｍ層（ｍは２以上の整数）備えた多層記録型光ディスクであって、
らせん状に設けられた各層の試し書き領域は光ディスクの内周から外周に向けて第１の小領域からに第ｎの小領域（ｎは２以上の整数）に分割されており、
所定の記録層の未記録小領域に対し、他の記録層の同じ半径位置の（ｍ−１）個の小領域におけるデータの記録済／未記録の組合せが、他の半径位置の（ｍ−１）個の小領域におけるデータの記録済／未記録の組合せと異なり、
データ記録エリアの各位置での各層の記録済／未記録の組合せの状態を示す情報を記録するエリアを更に有することを特徴とする多層記録型光ディスク。
【請求項２】
試し書き領域とデータ記録エリアを有する記録層をｍ層（ｍは２以上の整数）備えた多層記録型光ディスクであって、
らせん状に設けられた各層の試し書き領域は光ディスクの内周から外周に向けて第１の小領域からに第ｎの小領域（ｎは２以上の整数）に分割されており、
所定の記録層の未記録小領域に対し、他の記録層の同じ半径位置の（ｍ−１）個の小領域におけるデータの記録済／未記録の組合せが、他の半径位置の（ｍ−１）個の小領域におけるデータの記録済／未記録の組合せと異なり、
データ記録エリアを上面から見て同一位置を同一グループとして複数に分割し、分割した各エリアでの各層の記録済／未記録の組合せの状態を示す情報を記録するエリアを更に有することを特徴とする多層記録型光ディスク。
【請求項３】
試し書き領域とデータ記録エリアを有する記録層をｍ層（ｍは２以上の整数）備え、らせん状に設けられた各層の試し書き領域は光ディスクの内周から外周に向けて第１の小領域からに第ｎの小領域（ｎは２以上の整数）に分割され、所定の記録層の未記録小領域に対し、他の記録層の同じ半径位置の（ｍ−１）個の小領域におけるデータの記録済／未記録の組合せが、他の半径位置の（ｍ−１）個の小領域におけるデータの記録済／未記録の組合せと異なる試し書き領域を備えた光ディスクに対する多層記録型光ディスクの記録方法であって、
所定の記録層の試し書き領域に試し書きを行い、当該試し書き領域内の各小領域におけるそれぞれの最適記録パワーを求める処理と、
データ記録を行なう際、他の記録層の記録済／未記録の組合せと同じ条件で求めた最適記録パワーで記録する処理を有することを特徴とする多層記録型光ディスクの記録方法。
【請求項４】
試し書き領域とデータ記録エリアを有する記録層をｍ層（ｍは２以上の整数）備え、らせん状に設けられた各層の試し書き領域は光ディスクの内周から外周に向けて第１の小領域からに第ｎの小領域（ｎは２以上の整数）に分割され、所定の記録層の未記録小領域に対し、他の記録層の同じ半径位置の（ｍ−１）個の小領域におけるデータの記録済／未記録の組合せが、他の半径位置の（ｍ−１）個の小領域におけるデータの記録済／未記録の組合せと異なる試し書き領域を備え、
データ記録エリアを上面から見て同一位置を同一グループとして複数のエリアに分割し、分割した各エリアでの各層の記録済／未記録の組合せの状態を示す情報を記録するエリアを更に有する光ディスクに対する多層記録型光ディスクの記録方法であって、
所定の記録層の試し書き領域に試し書きを行い、当該試し書き領域内の各小領域におけるそれぞれの最適記録パワーを求める処理と、
データ記録を行なう際、記録予定箇所の各層の記録済／未記録の組合せの状態を示す情報を読み出す処理と、該記録済／未記録の組合せの状態を示す情報と他の記録層の記録済／未記録の組合せが同じ条件で求めた最適記録パワーで記録する処理と、
データの記録処理後に、データ記録エリア各層の記録済／未記録の組合せの状態を示す情報を更新する処理を含むことを特徴とする多層記録型光ディスクの記録方法。
【請求項５】
データ記録エリアへのユーザーデータの書き込みは、上記の分割したエリアに行うことを特徴とする請求項４記載の多層記録型光ディスクの記録方法。
【請求項６】
試し書き領域とデータ記録エリアを有する記録層をｍ層（ｍは２以上の整数）備え、らせん状に設けられた各層の試し書き領域は光ディスクの内周から外周に向けて第１の小領域からに第ｎの小領域（ｎは２以上の整数）に分割され、所定の記録層の未記録小領域に対し、他の記録層の同じ半径位置の（ｍ−１）個の小領域におけるデータの記録済／未記録の組合せが、他の半径位置の（ｍ−１）個の小領域におけるデータの記録済／未記録の組合せと異なり、データ記録エリアの各位置での各層の記録済／未記録の組合せの状態を示す情報を記録するエリアを更に有する多層記録型光ディスクの記録装置であって、
前記光ディスクにレーザービームを照射するレーザーと、
前記レーザーを制御するレーザービーム制御回路と、
所定の記録層の試し書き領域に試し書きを行い、当該試し書き領域内の各小領域におけるそれぞれの最適記録パワーを求める試し書き処理回路と、
求めた各最適記録パワーから、各層の記録済／未記録の組合せの状態を示す情報に従って、当該層の記録予定位置の最適記録パワーを選択する最適記録パワー選択手段と、
を具備したことを特徴とする多層記録型光ディスクの記録装置。
【発明の詳細な説明】
【技術分野】
【０００１】
本発明は、多層記録型光ディスクに関し、特に多層記録型光ディスクに記録するレーザーパワーの最適値を求める方法に関するものである。
【背景技術】
【０００２】
追記又は書き換え可能な多層構造を持つ光ディスクに情報の記録を行なう場合、情報を書き込む層のデータ領域に対して記録時のレーザ出力を最適な記録パワー値に調整する方法（Ｏｐｔｉｍｕｍ  Ｐｏｗｅｒ  Ｃｏｎｔｒｏｌ、以下「ＯＰＣ」）として特許文献１の方法が知られている。
【先行技術文献】
【特許文献】
【０００３】
【特許文献１】特開２０００−３１１３４６号公報
【発明の概要】
【発明が解決しようとする課題】
【０００４】
多層記録型光ディスクにレーザー光を照射することで情報を記録するとき、レーザー光の入射面に近い上位層が記録済みであるか未記録であるかによって上位層の透過率に差がでるため、同じパワーのレーザー光を出射した場合であっても入射面から遠い下位層に与えられるレーザー光のパワーは異なる。また、他の記録層に記録されている情報からのクロストークの影響により最適な記録パワーが変動する場合もある。
【０００５】
特許文献１では、ランダムパターン記録済みの「上位層の試し書き領域」を通過したレーザー光で「下位層の試し書き領域」でのＯＰＣを行っている。しかし、このようにして求めた「最適な記録パワー値」は、未記録の「上位層のデータ領域」を通過したレーザー光で「下位層のデータ領域」への記録を行うときには適したものではない。
【０００６】
近年、多層記録型光ディスクの任意の層にデータを記録できる光ディスクが登場してきている。このような光ディスクの上位層のデータ領域では、データが記録されている領域とデータが記録されていない領域が混在する場合がある。このため、下位層にデータを記録するときには、未記録の「上位層のデータ領域」を通過したレーザー光で「下位層のデータ領域」へ記録する場合と、記録済の「上位層のデータ領域」を通過したレーザー光で「下位層のデータ領域」へ記録する場合がある。しかし、特許文献１のＯＰＣで求めた「最適な記録パワー値」は、一方に対する最適値であるため、他方に対しては有効ではなく、何れかの状況においてデータの記録品質の向上に寄与しないという問題があった。
【課題を解決するための手段】
【０００７】
上記課題は特許請求の範囲に記載の発明により解決される。
【発明の効果】
【０００８】
多層ディスクに対してランダムに記録が行われて、各層の記録済み箇所、未記録箇所がランダムに分布して透過率がばらばらになっても、良好なパワーで書き込みを行い、データの記録品質を向上させることができる。
【図面の簡単な説明】
【０００９】
【図１】本発明の多層記録型光ディスクである第１の実施例を示す図。
【図２】本発明の多層記録型光ディスクの記録方法である第２の実施例を示す図。
【図３】本発明の多層記録型光ディスクの記録方法である第３の実施例を示す図。
【図４】本発明の多層記録型光ディスクの記録方法である第４の実施例を示す図。
【図５】本発明の多層記録型光ディスクの記録装置である第５の実施例を示す図。
【図６】第１の実施例の記録済/未記録情報エリアの一例を示す図。
【発明を実施するための形態】
【００１０】
図１を用いて、４層構造の記録型光ディスクを例に、本発明の第１の実施例である多層記録型光ディスクを説明する。
【００１１】
図１は、片面から記録または再生が可能な多層記録型光ディスクの断面図であり、右側が光ディスクの内周側、左側が光ディスクの外周側である。この光ディスクの各層を記録または再生するためのレーザー光は上方向から入射される。以下では、レーザー光の入射面から近い順に、第１層、第２層、第３層、第４層と呼ぶこととする。
【００１２】
各層は記録可能な領域として、ＯＰＣを行い最適パワーを求めるための試し書き領域ＰＣＡ（Ｐｏｗｅｒ  Ｃａｌｉｂｒａｔｉｏｎ  Ａｒｅａ）と、ユーザーデータを書き込むデータ記録エリアを持つ。つまり、図１では、第１層用ＰＣＡ、第２層用ＰＣＡ、第３層用ＰＣＡ、第４層用ＰＣＡの４つのＰＣＡが存在することとなる。各層のＰＣＡは、内周から順にａ，ｂ，ｃ，ｄ，ｅ，ｆ，ｇ，ｈ，…のように半径方向に複数の小領域（エリア）に細分化されている。なお、本実施例では各層のＰＣＡが螺旋状に設けられているものとして説明するが、ＰＣＡを同心円状に設ける構成としても良い。
【００１３】
図１に示すように、第４層用ＰＣＡのエリアａ〜ｈは全て未記録の状態であるが、第１層用ＰＣＡ、第２層用ＰＣＡ、第３層用ＰＣＡには表１のようにランダムパターンが記録されている。
【００１４】
【表１】
2011175734.tif 000003
【００１５】
表１に従って第１層から第３層のＰＣＡにランダムパターンを記録することで、第１層用ＰＣＡから第３層用ＰＣＡの記録済／未記録について、全ての組合せを用意することができる。
【００１６】
第４層用ＰＣＡのエリアａ〜ｈの８エリアに対しＯＰＣを行えば、ランダム記録が許容される光ディスクの第４層のデータ記録エリアを記録するときに発生する第１層から第３層の記録済／未記録の全ての組合せでの記録パワーの最適値を知ることができる。
【００１７】
一方、データ記録エリアを複数のエリアＡ，Ｂ，Ｃ，Ｄ，Ｅ，Ｆに分割し、第１層のエリアＡに各エリアの各層毎の記録済／未記録の組合せの状態を示す情報を記録する（記録済/未記録情報記録エリア）。なお、ここでは第１層のデータ記録エリアのエリアＡに各エリアの各層毎の記録済／未記録の組合せの状態を示す情報を記録することとしたが、データを記録可能なエリアであれば何れのエリアにこの情報を記録することとしても良い。
【００１８】
第４層のデータ記録エリアにユーザーデータを記録する場合、記録を予定するエリアの第１層から第３層の記録済/未記録情報記録エリアの示す情報と同じ組合せで求めた最適記録パワーで所定のエリアに記録することで適正な記録パワーで記録を行うことが容易になる。
【００１９】
同様に、第１層のＰＣＡ中に第２層〜第４層の記録済／未記録の組合せに対応する８エリアを用意し、第２層のＰＣＡ中に第１層、第３層、第４層の記録済／未記録の組合せに対応する８エリアを用意し、第３層のＰＣＡ中に第１層、第２層、第４層の記録済／未記録の組合せに対応する８エリアを用意し、各々のエリアに記録済／未記録を適切に配置することで、第１層から第３層のいずれについても他層の記録済／未記録の全ての組合せを準備することができる。
【００２０】
このように、ＰＣＡを３２エリア（４×２4-1）に細分化すれば、４層の記録型光ディスクの任意記録層を記録するときに生じうる他３層の記録層の記録済／未記録の全ての組合せを備えた光ディスクを提供できる。なお、これを一般化すれば、ｍ層の光ディスクの場合には、ｍ×２m-1エリアを用意しておけばよいことが分かる。このようにｍ層の光ディスクの場合、用意されたｍ×２m-1エリアに対しＯＰＣを行えば、ランダム記録が許容される光ディスクの第ｍ層のデータ記録エリアを記録するときに発生する第ｍ層を除く記録済／未記録の全ての組合せでの記録パワーの最適値を知ることができる。第ｍ層のデータ記録エリアにユーザーデータを記録する場合、記録を予定するエリアに対応する記録済/未記録情報記録エリアに記録された、記録済/未記録の状態を示す情報と同じ組合せで求めた最適記録パワーで所定のエリアに記録することで適正な記録パワーで記録を行うことが容易になる。
【００２１】
以上では、レーザー光の入射面から遠い下位の記録層の記録済／未記録の組合せも考慮したため、ＰＣＡを３２エリアに細分化した。しかし、下位記録層からのクロストークが上位の記録層の記録時に与える影響は小さいため、上位の記録層の記録済／未記録のみを考慮してＰＣＡを細分化しても良い。すなわち、第２層用に第１層を考慮した２エリア、第３層用に第１層〜第２層を考慮した４エリア、第４層用に第１層〜第３層を考慮した８エリアの合計１４エリアを用意し、各々のエリアに記録済／未記録を適切に配置する構成としてもよい。
【００２２】
このように、１４エリアに細分化されたＰＣＡの各エリアに対してＯＰＣを行えば、４層の記録型光ディスクの任意記録層を記録するときに生じうる上位層の記録済／未記録の全ての組合せの記録パワーの最適値を知ることができる。各層の記録を予定するエリアに対応する記録済/未記録情報記録エリアに記録された、記録済/未記録の状態を示す情報と上位層が同じ組合せで求めた最適記録パワーで所定のエリアに記録することで適正な記録パワーで記録を行うことが容易になる。
【００２３】
なお、以上では、４層構造の光ディスクを例に説明を行ったが、本発明の適用対象はこれに限られず、任意の記録層数を有する光ディスクに対しても本発明を適用することができる。
【００２４】
例えば、記録層の総数がｍのときに、第１層から第（ｍ−１）層までの各ＰＣＡを２m-1に細分化すれば、第ｍ層記録時に発生しうる、上位の第１層から第（ｍ−１）層までの記録済／未記録の全ての組合せを用意することができる。また、第１層から第（ｍ−２）層までの各層のＰＣＡを２m-2に細分化すれば、第（ｍ−１）層の記録時に発生しうる、上位の第１層から第（ｍ−２）層までの記録済／未記録の全ての組合せを用意することができる。同様に、第１層のＰＣＡを２1に細分化すれば、上位の第２層の記録時に発生しうる、記録済／未記録の全ての組合せを用意することができる。
【００２５】
つまり、記録層数がｍのとき、各層のＰＣＡを２m-1＋２m-2＋・・・＋２2＋２1に細分化すれば、任意の記録層を記録するときに生じうる、上位の記録層の記録／未記録の全ての組合せを予め用意しておくことができる。
【００２６】
このように、２m-1＋２m-2＋・・・＋２2＋２1エリアに細分化されたＰＣＡの各エリアに対してＯＰＣを行えば、ｍ層の記録型光ディスクの任意記録層を記録するときに生じうる上位層の記録済／未記録の全ての組合せの記録パワーの最適値を知ることができる。各層の記録を予定するエリアに対応する記録済/未記録情報記録エリアに記録された、記録済/未記録の状態を示す情報と上位層が同じ組合せで求めた最適記録パワーで所定のエリアに記録することで適正な記録パワーで記録を行うことが容易になる。
【００２７】
なお、本実施例では記録済/未記録情報記録エリアをデータ記録エリアの一部としたが、データ記録エリア及びＰＣＡとは独立したエリアとしても、効果に違いはない。
【００２８】
また、データ記録エリアを分割する単位としては、ＤＶＤならばＥＣＣブロックもしくはＥＣＣブロックを複数集めた単位、Ｂｌｕ−ｒａｙ  Ｄｉｓｃでは      Ｐｈｙｓｉｃａｌ  ＣｌｕｓｔｅｒもしくはＰｈｙｓｉｃａｌ  Ｃｌｕｓｔｅｒを複数集めた単位であれば記録再生の単位とも一致するので好適である。
【００２９】
図２は第１の実施例として説明した多層記録型光ディスクの記録方法である第２の実施例を示すフローチャートである。
【００３０】
ステップ２０１は、第ｍ層用のＰＣＡのｎ番目のエリアにピックの位置を合わせる。第１の実施例で言えば、まずエリアａにピックの位置を合わせる。
【００３１】
ステップ２０２はＯＰＣの実行である。具体的に言えば、順次記録パワーを変化させて記録を行ない、記録を行なったエリアを再生して、最も再生品質が良くなる記録パワーを最適記録パワーとして選択する。再生品質の判定はエラーレート、ジッタ、波形等（例えばβ）などを用いて判断される。
【００３２】
ステップ２０３ではｎ番目のエリアでのＯＰＣの結果を最適記録パワーとして保存する。
【００３３】
ステップ２０４はエリアを変更するためｎ＝ｎ＋１を行なう。つまり、ステップ２０１と組み合わせるとエリアを順次変えていくことになる。ステップ２０１とステップ２０４をあわせると、第１の実施例で言えば，エリアａ、ｂ、ｃ…の順にピックの位置を変えていくことになる。
【００３４】
ステップ２０５は第ｍ層用の全組み合わせについてＯＰＣを実行したか判定し、未終了ならステップ２０１に戻って継続、終了ならば次のステップ２０６に進む。第１の実施例で言えば、エリアａ，ｂ，ｃ，ｄ，ｅ，ｆ，ｇ，ｈ全てにおいてＯＰＣが実行済みか判定することになる。
【００３５】
ステップ２０６はＯＰＣを行なう層を変更するためにｍ＝ｍ＋１を行なう。ステップ２０７で全部の層のＯＰＣが終了したか判定する。終了していない場合はステップ２０１から２０６を繰り返す。終了ならば次のステップ２０８に進む。
【００３６】
ステップ２０８は、データ記録エリアへのユーザーデータの記録命令待ち処理である。
【００３７】
ユーザーデータの記録命令が発行されるとステップ２０９で記録命令により記録予定の位置の記録済/未記録情報をリードする。他層の記録済/未記録情報は第１の実施例で言えばディスクの記録済/未記録情報記録エリアからリードすることになる。
【００３８】
ステップ２１０でリードした記録済/未記録情報による他層の記録済/未記録の組合せと同じ組合せでＯＰＣを行なった結果得られた最適記録パワーを記録パワーに設定する。
【００３９】
ステップ２１１で設定された記録パワーで所定のデータをライトする。
【００４０】
以上、本実施例によれば、多層記録型光ディスクにおいて、層間も含めたランダムアクセスを許可した場合でも、最適な記録パワーが求めることができる。具体的には、このようにＯＰＣを行うことで、所望の記録層に記録するときに生じうる全ての組合せについて適正なレーザーパワーを求めることができ、任意の記録層にランダムに記録を行うときであっても、各ＯＰＣにより求めたレーザーパワーから、記録済/未記録情報記録エリアの記録状態の情報を用いて、適切なレーザーパワーを用いて記録を行うことができる。
【００４１】
又、本実施例では、第ｍ層用のＰＣＡに対し、他層の記録済み、未記録の全組合せエリアを設け全てに対しＯＰＣを行ったが、透過率の観点に立って、第ｍ層用のＰＣＡに対し上層の記録済み、未記録の全組合せに選んだ組合せエリアを設けＯＰＣを行い、各ＯＰＣの結果から記録済/未記録情報記録エリアの情報が上層の組み合わせが一致する組み合わせの結果を選択してもよい。又、本実施例では各組合せに対しステップ２０２にて最適パワーの調整を行なったが、更に記録波形の調整を行なっても良い。
【００４２】
図３は第１の実施例として説明した多層記録型光ディスクの記録方法である第３の実施例を示すフローチャートである。図３においてステップ２０１からステップ２１１は第３の実施例と同等であるため説明を省略する。
【００４３】
ステップ３０１は、ステップ２１１のデータライトを反映して、第１の実施例で言うところのディスクの記録済/未記録情報記録エリアの記録済/未記録情報を更新する。
【００４４】
以上、本実施例によれば、多層記録光ディスクにおいて、層間も含めたランダムアクセスを許可した場合でも、最適な記録パワーが求めることができる。またデータエリアにユーザーデータを記録する毎に第１の実施例で言うところのディスクの記録済/未記録情報記録エリアの記録済/未記録情報を更新されるので、データを層間も含めたランダムライトを追加しても、最適な記録パワーをそのつど得ることができる。又、本実施例では各組合せに対しステップ２０２にて最適パワーの調整を行なったが、更に記録波形の調整を行なっても良い。
【００４５】
図４は第１の実施例として説明した多層記録型光ディスクの記録方法である第４の実施例を示すフローチャートである。本実施例はユーザーデータのライト処理を具体化したものである。図４においてステップ２０１からステップ２０８は第４の実施例と同等であるため説明を省略する。ステップ４０１は第１の実施例で言うところのディスクの記録済/未記録情報記録エリアの記録済/未記録情報で記録済/未記録の状態を示す単位であるエリアの先頭にピックアップが来ているかを判定するものである。ステップ４０１で該エリアの先頭にピックアップが来ていると判定されると、ステップ４０２でディスクへのデータライトを開始する。ステップ４０３では該エリアの後端に達したかを判定する。ステップ４０３で該エリアの後端と判定されればステップ４０４でディスクへのデータライトを終了する。ステップ３０１では第３の実施例と同様に、ステップ４０１からステップ４０４のデータライトを反映して、第１の実施例で言うところのディスクの記録済/未記録情報記録エリアの記録済/未記録情報を更新する。
【００４６】
以上、本実施例によればデータエリアに対するユーザーデータのライトは、第１の実施例で言うところのディスクの記録済/未記録情報記録エリアの記録済/未記録情報で記録済/未記録の状態を示す単位であるエリア毎に行なわれるので、エリア単位の記録済/未記録情報に対応したＯＰＣの結果を選択することが容易に行なえる。なお、本実施例においてはエリアの後端を検出するごとに記録を終了しているが、記録を予定する容量がエリアの容量よりも大きい場合は、次のエリアの後端までライトを連続しても構わない。
【００４７】
図５は本発明の多層記録型光ディスクの記録装置である第５の実施例を示すブロック図である。
【００４８】
図５において、５０１は光ディスク、５０２は光ディスク５０１を回転させるディスクモーター、５０３は光ディスク５０１の読み書きのために発光するレーザー、５０４はレーザー５０３を搭載し、光ディスクにレーザー光の焦点を合わせるためのレンズ、光信号を電気信号に変換するＯＥＩＣなどを更に搭載してなる光ピックアップ、５０５は信号再生処理回路で、光ピックアップ５０４で検出された信号に対し波形等化を行い、同期クロックを再生する。更には各エッジのジッタを検出する。
【００４９】
５０６は試し書き再生信号処理回路で、信号再生処理回路５０５で検出されたジッタを基に第２の実施例のステップ２０２に示す処理、ＰＣＡの各小領域に対する最適記録パワーを導出する。５０７は最適パワー記憶回路であり試し書き再生信号処理回路５０６で導出された各小領域に対する最適記録パワーを記憶する。５０８はディスクに記録されたデータのフォーマットに従って復調処理や誤り訂正処理を行なうデコーダである。５０９は第１の実施例で言うところのディスクの記録済/未記録情報記録エリアのデコーダ５０８によってデコードされた各層の記録状態に関するデータを検出する回路である。５１５は５０９から検出された記録予定箇所の各層の記録済/未記録の記録状態と同じ条件で求められた最適記録パワーを最適記録パワー記憶回路５０７に記憶された各最適記録パワーより選択する最適パワー選択回路である。
【００５０】
５１０はサーボ制御回路であり、ディスクモーターの回転制御や光ビームのフォーカスやトラッキングの制御を行なう。５１１はレーザービーム制御回路であり、レーザー５０３の発光強度の制御を行なう。５１２は試し書き記録信号処理回路であり、ＰＣＡに試し書きを行うための信号パターンを生成する。本実施例では一例としてランダムパターンを生成する。なお、本実施例では試し書き記録信号処理回路５１２は試し書き再生信号処理回路５０６と共に試し書き処理回路５１６の内部に設けられる構成とする。５１３は記録信号処理回路であり、データ記録エリアにユーザーデータを書き込む場合に誤り訂正符号の付加や変調処理を行なう。５１４はＣＰＵであり信号再生処理回路５０５、試し書き再生信号処理回路５０６、サーボ制御回路５１０、レーザービーム制御回路５１１、試し書き記録信号処理回路５１２、記録信号処理回路５１３の制御を行なう他、最適パワー選択回路５１５の出力をレーザービーム制御回路５１１の制御に用いる。
【００５１】
以下では、本実施例の記録装置が、第１の実施例の光ディスクに対し、第２の実施例の記録方法で記録を行なう場合の動作を説明する。
【００５２】
まず、第２の実施例のステップ２０１に対応して、サーボ制御回路５１０の制御により、第ｍ層のエリアａにピックを移動する。
【００５３】
次に、ステップ２０２に対応して、ライトとリードの２処理を行う。まずライト処理はこのエリア内で試し書き記録信号処理回路５１１で生成されたランダムパターンをレーザービーム制御回路５１１でレーザー５０３の発光パワーを逐次変更させながら記録を行う。次に行うリードの処理は、記録された信号を光ピックアップ５０４で再生して検出された信号から、信号再生処理回路５０５で各発光パワーに対するジッターを検出する。試し書き再生信号処理回路５０６はジッターを最小とする発光パワーを最適記録パワーとし、結果を最適パワー記憶回路５０７に蓄積する。ステップ２０３からステップ２０４を介してステップ２０１へ戻る制御は、サーボ制御回路５０９が、第１の実施例のエリアｂ，ｃ，ｄ，…，にピックを順次移動させることで実現される。
【００５４】
ステップ２０５に対応して、ＣＰＵ５１４が全組合せでのＯＰＣが終了したと判定したとき、すなわち、エリアａ〜ｈでのＯＰＣが完了したとき、ステップ２０６に対応して、他の層に対するＯＰＣ処理を行ないステップ２０７にて全層のＯＰＣが終了したと判定されるまで処理を繰り返す。
【００５５】
全層のＯＰＣが終了後、ＣＰＵ５１４によってデータ記録命令が発行されると、信号再生処理回路５０５でデータと同期クロックを再生し、これを用いて、デコーダ５０８でフォ−マットに従ったデコードを行い再生されたデータから、記録状態検出回路５０９で、第１の実施例で言うところのディスクの記録済/未記録情報記録エリアの記録済/未記録情報を検出する２０９の処理を行なう。５０９によって検出された記録予定箇所の各層の記録済/未記録情報と一致する条件で行なわれたＯＰＣの結果を５０７で記憶された最適パワーの中から最適パワー選択回路で選択する。選択された最適記録パワーはＣＰＵ５１４に送られ、ＣＰＵ５１４は最適パワーに基づいてレーザービーム制御回路５１１を制御する。
【００５６】
以上、本実施例によれば、層間も含めたランダムアクセスを許可した多層記録光ディスクに対して、各層における最適な記録パワーを求めることが可能な記録装置を提供できる。
【００５７】
なお、本実施例においては試し書きした信号の再生品質の評価をジッターを用いて行なう場合について説明したが、βなどの波形情報を用いて行なう場合は、βの検出は信号再生処理回路５０５で行われ、試し書き再生信号処理回路５０６では目標β値を与える発光パワーを最適記録パワーとする。又、本実施例では最適パワーの調整を行なったが、更に記録波形の調整を行なっても良い。この場合、記録波形は、レーザービーム制御回路５１１で制御される。
【００５８】
図６は第１の実施例の多層記録型光ディスクとその記録済/未記録情報エリアに記されるテーブルの一例を示した図である。
【００５９】
（ａ）は第１の実施例の４層構造の記録型光ディスクにおいて、データ記録エリアの第１層の４エリアＣと第２層のエリアＢとエリアＣが記録済であり、他の箇所は未記録である場合を示す。このときのテーブルは（ｂ）に示される。第１層はエリアＡとエリアＣが記録済、他が未記録となっている。エリアＡが記録済とされているのは、エリアＡは記録済/未記録情報エリアに当てられているため、本テーブルからなるデータが記録されているからである。第２層は（ａ）に示されるとおり、エリアＢとエリアＣが記録済、他は未記録となっている。第３層は（ａ）に示されるとおり、全エリアが未記録となっている。第４層は（ａ）に示されるとおり、全エリアが未記録となっている。このようなテーブルで各エリア、各層の記録済／未記録の状態を示すことができる。
【符号の説明】
【００６０】
５０１…光ディスク、５０２…ディスクモーター、５０３…レーザー、５０４…光ピックアップ、５０５…信号再生処理回路、５０６…試し書き再生信号処理回路、５０７…最適パワー記憶回路、５０８…デコーダ、５０９…記録状態検出回路、５１１…レーザービーム制御回路、５１２…試し書き記録信号処理回路、５１３…記録信号処理回路、５１５…最適パワー選択回路
【図１】
2011175734.tif 000004
【図２】
2011175734.tif 000005
【図３】
2011175734.tif 000006
【図４】
2011175734.tif 000007
【図５】
2011175734.tif 000008
【図６】
2011175734.tif 000009
【手続補正書】
【提出日】平成23年5月12日(2011.5.12)
【手続補正１】
【補正対象書類名】特許請求の範囲
【補正対象項目名】全文
【補正方法】変更
【補正の内容】
【特許請求の範囲】
【請求項１】
試し書き領域とデータ記録エリアを有する記録層をｍ層（ｍは２以上の整数）備えた多層記録型光ディスクであって、
らせん状に設けられた各層の試し書き領域は光ディスクの内周から外周に向けて第１の小領域からに第ｎの小領域（ｎは２以上の整数）に分割されており、
所定の記録層の未記録小領域に対し、他の記録層の同じ半径位置の（ｍ−１）個の小領域におけるデータの記録済／未記録の組合せが、他の半径位置の（ｍ−１）個の小領域におけるデータの記録済／未記録の組合せと異なり、
データ記録エリアの各位置での各層の記録済／未記録の組合せの状態を示す情報を記録するエリアを更に有することを特徴とする多層記録型光ディスク。